(57)【要約】【課題】殺菌効果を有するとともに上記フィルターへの塵埃の付着量を軽減し頻繁に新しいフィルターを交換する必要がない新規な手乾燥装置を提供する。【解決手段】壁面等に設置され開口が形成されたハウジング４，５と、このハウジング４，５に形成された開口５ｃを閉塞するフィルター９と、上記ハウジング４，５に内蔵され下方に圧縮エアーを放出するファン１１と、を備えた手乾燥装置１であって、上記ハウジング４，５の上部には、円筒状に成形された円筒電極２６ｃと、この円筒電極２６ｃの近傍に配設され針状に成形された針状電極２５とを有し、上記円筒電極２６ｃからマイナスイオン及びオゾンを正面側に送風するとともに上記円筒電極２６ｃの内側に塵埃が付着する複数の放電電極が左右方向に並列されてなる空気清浄部３が配設され、この放電電極を構成する円筒電極２６ｃから送風されたエアーが上記ハウジング４，５に形成された開口５ｃ及びフィルター９を通過して該ハウジング４，５内に流入するよう構成されてなる。【選択図】          図１
2004154234.tif 000002
【特許請求の範囲】
【請求項１】
壁面等に設置され開口が形成されたハウジングと、このハウジングに形成された開口を閉塞するフィルターと、上記ハウジングに内蔵され下方に圧縮エアーを放出するファンと、を備えた手乾燥装置であって、
上記ハウジングの上部には、円筒状に成形された円筒電極と、この円筒電極の近傍に配設され針状に成形された針状電極とを有し、上記円筒電極からマイナスイオン及びオゾンを正面側に送風するとともに上記円筒電極の内側に塵埃が付着する複数の放電電極がハウジングの左右方向に並列されてなる空気清浄部が配設され、
この放電電極を構成する円筒電極から送風されたエアーが上記ハウジングに形成された開口及びフィルターを通過して該ハウジング内に流入するよう構成されてなることを特徴とする手乾燥装置。
【請求項２】
前記ハウジングの上面は、壁面側から正面側にかけて上昇してなる傾斜面とされてなるとともに、前記空気清浄部の正面は上記ハウジングの正面よりも背面側に位置してなり、前記開口は、該ハウジングの左右両側に形成され、上記空気清浄部の正面から送風されたエアーは、上記傾斜面から前記ハウジングの左右両側に移動し前記各開口からフィルターを通過して該ハウジング内に流入するよう構成されてなることを特徴とする請求項１記載の手乾燥装置。
【請求項３】
前記空気清浄部を構成する全ての円筒電極は、一枚の電極固定板に固定されてなるとともに、該空気清浄部から着脱自在とされてなることを特徴とする請求項１又は２記載の手乾燥装置。
【発明の詳細な説明】
【０００１】
【発明が属する技術分野】
本発明は、例えば、厨房，トイレ，医療機関或いは老人福祉施設等において使用される手乾燥装置に関し、特に、壁面等に固定され下方に圧縮エアーを放出することにより手指に付着した洗浄水を乾燥するために使用される手乾燥装置に関するものである。
【０００２】
【従来の技術】
壁面や衝立等に設置され下方に圧縮エアーを放出することにより、手指に付着した洗浄水を乾燥するために使用される手乾燥装置は、これまで、例えば、厨房，トイレ，医療機関或いは老人福祉施設等において一般的に使用されている。こうした手乾燥装置は、壁面等に固定されるハウジングと、このハウジング内に収納されたファンと、このファンの駆動により圧縮エアーが放出される開口とを備えてなるものであり、上記圧縮エアーが放出される部位の近傍には、手指の存在を検出するセンサが配設されている。したがって、このセンサにより使用者の手指の存在が検出されると、上記ファンの駆動が開始され、上記開口から手指に圧縮エアーが吹き付けられ、この圧縮エアーにより洗浄水が気化する。こうした手乾燥装置が使用される背景には、タオルやハンカチを用いて洗浄水を拭き取る場合に比べて極めて衛生的であることが大きな理由の一つとされている。
【０００３】
ところで、こうした衛生面をさらに強化する目的で、ハウジングに形成された開口にフィルターを取り付け、このフィルター内に流入するエアーに混入した塵埃を除去する手乾燥装置が販売され、また、消臭，抗菌又は殺菌効果を有する手乾燥装置が提案されている。例えば、特開平１１−１９７０５６号公報に開示された手乾燥装置は、ハウジング内に、吐出ノズルを備えたオゾン発生装置を設け、この吐出ノズルから吐出されるオゾンを、ファンから放出される圧縮エアーに混入させるよう構成されたものである。こうした手乾燥装置によれば、手指に付着した洗浄水を乾燥させることができるばかりではなく、オゾンにより、殺菌，除菌並びに消臭することができる。
【０００４】
【発明が解決しようとする課題】
しかしながら、上述した特開平１１−１９７０５６号公報に開示された手乾燥装置では、オゾン発生装置から発生するオゾンによる殺菌効果等により、より衛生的に手指を乾燥させることができるが、手指に塵埃が付着することを防止することはできない。そこで、上記壁面等に固定されるタイプの手乾燥装置を構成するハウジングに形成された開口に上記フィルターを取り付けるとともに、ハウジングに上記オゾン発生装置を内蔵すれば、殺菌効果等を有するとともに、手指に塵埃が付着することがない手乾燥装置とすることが考えられる。しかし、こうした構成としても、塵埃が付着したフィルターを頻繁に新しいフィルターと交換しなければならず、メンテナンス費用が必要となる。
【０００５】
そこで、本発明は、上述した従来の手乾燥装置が有する課題を解決するために提案されたものであって、殺菌効果を有するとともに上記フィルターへの塵埃の付着量を軽減し頻繁に新しいフィルターを交換する必要がない新規な手乾燥装置を提供することを目的とするものである。
【０００６】
【課題を解決するための手段】
本発明は、上記目的を達成するために提案されたものであって、第１の発明（請求項１記載の発明）は、壁面等に設置され開口が形成されたハウジングと、このハウジングに形成された開口を閉塞するフィルターと、上記ハウジングに内蔵され下方に圧縮エアーを放出するファンと、を備えた手乾燥装置であって、上記ハウジングの上部には、円筒状に成形された円筒電極と、この円筒電極の近傍に配設され針状に成形された針状電極とを有し、上記円筒電極からマイナスイオン及びオゾンを正面側に送風するとともに上記円筒電極の内側に塵埃が付着する複数の放電電極が左右方向に並列されてなる空気清浄部が配設され、この放電電極を構成する円筒電極から送風されたエアーが上記ハウジングに形成された開口及びフィルターを通過して該ハウジング内に流入するよう構成されてなることを特徴とするものである。
【０００７】
この第１の発明によれば、上記複数の放電電極を構成する円筒電極の内周面には、塵埃が付着するとともに、該複数の円筒電極からは正面側にオゾンが送風され、この送風されたオゾンは、ハウジングに形成された開口からフィルターを通過して該ハウジングの内部に流入し、上記ファンの駆動により下方に圧縮エアーが放出される。したがって、この第１の発明によれば、オゾンが混入された圧縮エアーが手指に放出されることとなり、手指の殺菌，除菌効果を向上させることができるばかりではなく、フィルターに付着する塵埃の量を有効に軽減することができ、該フィルターを頻繁に交換する必要がない。また、この発明によれば、エアーが通過するフィルター自体やファン等のハウジングに内蔵された部材も殺菌，除菌並びに消臭することができることから、より一層衛生的なものとすることができる。しかも、この発明を構成する空気清浄部からは、上記オゾンばかりではなく、マイナスイオンも放出することから、血液の浄化作用や細胞の新陳代謝の活性化等を期待することも可能となる。
【０００８】
なお、上記第１の発明を構成する空気清浄部は、放電電極を少なくとも２つ以上備えていれば、その数は特に限定されるものではなく、また、ハウジングに形成された開口の大きさや位置も特に限定されるものではない。例えば、上記開口の位置は、ハウジングの正面であっても左右両側であっても良い。
【０００９】
また、第２の発明（請求項２記載の発明）は、上記第１の発明において、前記ハウジングの上面は、壁面側から正面側にかけて上昇してなる傾斜面とされてなるとともに、前記空気清浄部の正面は上記ハウジングの正面よりも背面側に位置してなり、前記開口は、該ハウジングの左右両側に形成され、上記空気清浄部の正面から送風されたエアーは、上記傾斜面から前記ハウジングの左右両側に移動し前記各開口からフィルターを通過して該ハウジング内に流入するよう構成されてなることを特徴とするものである。
【００１０】
この第２の発明では、ハウジングの上面は、壁面側から正面側にかけて上昇してなる傾斜面とされてなるとともに、前記空気清浄部の正面は上記ハウジングの正面よりも背面側に位置してなることから、この空気清浄部から放出され空気よりも若干比重が高いオゾンは、徐々にハウジングの上面から左右方向に移動し、該ハウジングの両側から下方に移動する。そして、さらにこの第２の発明においては、前記各開口は、ハウジングの左右両側に形成されていることから、オゾンはこれらの開口の周囲のエアーとともに、該開口内に流入する。すなわち、この第２の発明によれば、空気清浄部から放出されるオゾンがより一層上記ハウジングに形成された開口から内部に流入し易く、前記第１の発明に比べて、さらにエアーが通過するフィルター自体やファン等のハウジングに内蔵された部材の殺菌，除菌効果乃至は消臭効果を高めることが可能となる。
【００１１】
また、第３の発明（請求項３記載の発明）は、上記第１又は第２の発明において、前記空気清浄部を構成する全ての円筒電極は、一枚の電極固定板に固定されてなるとともに、該空気清浄部から着脱自在とされてなることを特徴とするものである。
【００１２】
この第３の発明では、全ての円筒電極は、空気清浄部から着脱自在とされてなることから、該円筒電極の内周に付着した塵埃を洗浄することができる。
【００１３】
【発明の実施の形態】
以下、本発明の一実施の形態に係る手乾燥装置について、図面を参照しながら詳細に説明する。
【００１４】
この実施の形態に係る手乾燥装置１は、図１に示すように、乾燥装置本体２と、この乾燥装置本体２の上面に固定された空気清浄部３とから構成されている。上記乾燥装置本体２は、図２に示すように、本体ケース４と、この本体ケース４の正面に着脱可能に取り付けられてなる本体カバー５と、この本体カバー５の正面下側の中央に固定されてなるノズルカバー６とを備えている。なお、上記本体ケース４と本体カバー５は、本発明を構成するハウジングであり、図２に示すように、この乾燥装置本体２の上面は、背面側から正面側にかけて徐々に上昇してなる傾斜面２ａとされている。
【００１５】
上記本体ケース４は、合成樹脂により一体成形されてなるものであり、背面は図示しない部屋の壁面や起立板などに固定される部位であり、左側板部４ａには、この手乾燥装置１の駆動を開始させるための電源スイッチ７が配設されている。なお、図２に示すこの本体ケース４は、略左右対称形状に成形されてなるとともに、上記左側板部４ａとこの左側板部４ａに対向してなる図示しない右側板部とは、それぞれ上端から下端側中途部にかけて手前に円弧状となるよう膨出している。また、この本体ケース４の下端側には、垂下部４ｂが形成されている。この垂下部４ｂの正面側は、使用者の手が挿入され乾燥される乾燥空間Ｄであり、この乾燥空間Ｄの下方には、基端が上記垂下部４ｂの下端に固定され、使用者の手指から垂れた洗浄水を受ける受け部材８が設けられている。なお、上記垂下部４ｂの正面には、図１に示すように、上記乾燥空間Ｄを広げる円形状の凹部４ｃが形成され、また、上記受け部材８にも、洗浄水が溜まる図示しない凹部が形成されている。
【００１６】
また、上記本体カバー５は、上記本体ケース４を構成する左側板部４ａと図示しない右側板部とに取り付けられてなるものであり、図２に示すように、円弧状に成形された正面板部５ａと、上記左側板部４ａに取り付けられ扇形状に成形されたカバー側左側板部５ｂと、このカバー側左側板部５ｂに対向してなる図示しないカバー側右側板部とを備え、このカバー側左側板部５ｂ（及びカバー側右側板部）には、該カバー側左側板部５ｂ（及びカバー側右側板部）の上端側から下端側に亘ってそれぞれ並行してなる多数のエアー流入用開口５ｃが形成されている。そして、これらカバー側左側板部５ｂ（及びカバー側右側板部）の内側には、上記多数のエアー流入用開口５ｃからのエアーが濾過されるフィルター９が取り外し可能に取り付けられている。なお、このフィルター９は、図示しないトルマリン粒子が付着されてなるシート体である。また、この本体カバー５を構成する上記正面板部５ａの下端側中央には、図１に示すように、略長方形状に切欠き５ｄが形成され、この切欠き５ｄには、上記ノズルカバー６が固定されている。このノズルカバー６は、図２に示すように、上端側から下端側にかけて上記正面板部５ａから手前に膨出してなるものであり、後述するヒーターが内蔵されたエアーノズルをカバーしてなるものであり、下面はこのエアーノズルに対応したエアー放出用開口６ａ（図３参照）が形成されている。なお、図１に示すように、上記ノズルカバー６の上側であって上記本体カバー５の下端には、所定の時間（本実施の形態に係る手乾燥装置１では７秒間）点灯する複数のランプ１０が取り付けられ、使用者に対して、乾燥中・殺菌中及びそれらの完了を視認できるようにされている。
【００１７】
そして、上述のように構成された本体ケース４と本体カバー５との間（本発明を構成するハウジング内）には、図３に示すように、ファン１１が内蔵されている。このファン１１は、ケース（符号は省略する。）内に回転自在に収容されてなるとともに、背後に設けられたモータ１２により回転駆動するものであり、このファン１１の下方には、上記ケースに連通してなるエアーノズル１３が固定されている。このエアーノズル１３の下端は、上記ノズルカバー６の下面よりもやや上方に位置してなるものであり、該エアーノズル１３の下端側正面には、このエアーノズル１３の下方に使用者の手指が存在することを検出する光センサ１４が設けられている。また、上記垂下部４ｂの上端側には、紫外線を上記乾燥空間Ｄに放射する殺菌ランプ（紫外線灯）１５が水平方向に配設されている。また、図１に示すように、上記ファン１１の左側には、制御盤１６が固定され、この制御盤１６は、上記電源スイッチ７，ファン１１，光センサ１４，殺菌ランプ１５に接続されている。
【００１８】
次に、上述した構成に係る乾燥装置本体２の上面に固定された空気清浄部３について説明する。この空気清浄部３は、図２又は図３に示すように、上記傾斜面２ａ上に、傾斜してやや上向きに固定されてなるとともに、図１に示すように、上記乾燥装置本体２の幅よりも若干短い長さとされてなるものである。そして、この空気清浄部３は、左正面カバー２０と、この左正面カバー２０の右側に並んで配設され該左正面カバー２０よりも長尺に成形された右正面カバー２１と、図４に示すように、この右正面カバー２１が着脱自在に取り付けられた中板２２と、この中板２２が着脱自在に取り付けられたケース２３とを備えている。
【００１９】
上記ケース２３は、上記傾斜面２ａに固定された底板部２３ａ（図４参照）と、この底板部２３ａの左端から起立してなり電源スイッチ３０が設けられている左側板部２３ｂ（図２参照）と、上記底板部２３ａの右端から起立してなる右側板部２３ｃ（図３参照）と、上記傾斜面２ａと同じように傾斜してなる天板部２３ｄ（図４参照）と、背面板部２３ｅとを備えている。そして、このケース２３を構成する天板部２３ｄには、図４及び図５に示すように、該ケース２３内にエアーが流入する多数の開口２３ｆが形成されている。また、このケース２３内には、図４に示すように、電極支持部２３ｇが形成されている。この電極支持部２３ｇは、上記傾斜面２ａと同じように、上記背面板部２３ｅ側から正面側に斜めに突出してなるとともに、上記右正面カバー２１の長さと略同じ長さとされている。そして、この電極支持部２３ｇには、導電性金属材料からなる一方の電極固定板２４が固定されているとともに、この一方の電極固定板２４の正面には、導電性金属材料からなる６つの針状電極２５の基端が固定されている。
【００２０】
また、上述したケース２３に着脱自在に取り付けられた上記中板２２には、図６に示すように、左右に伸びた細長い楕円状の開口部２２ａが形成され、この開口部２２ａを形成する上側縁（符号は省略する。）から下側縁（符号は省略する。）には５つの仕切り板部２２ｂが互いに平行に形成されている。これらの仕切り板部２２ｂの間隔は、それぞれ人の指よりも僅かに狭いものとされ、後述する円筒電極ユニットを取り外した後に、誤って作業者が上記針状電極２５に接触しないようにされている。そして、この中板２２には、導電性金属材料からなる円筒電極ユニット２６が取り外し可能に取り付けられた上記右正面カバー２１が、着脱自在に取り付けられている。この円筒電極ユニット２６は、上記一方の電極支持板２４と略同じ長さに成形され６つの円形状開口２６ａが穿設された他方の電極固定板２６ｂと、この他方の電極固定板２６ｂにそれぞれ基端が溶接され上記各円形状開口２６ａに連通するとともに上記各円筒部２２ａに挿通された６つの円筒電極２６ｃとから構成されている。また、この円筒電極ユニット２６が取り外し可能に取り付けられた上記右正面カバー２１には、上記６つの各円筒電極２６ｃと略同じ内径とされた筒状部２１ａが形成されている。なお、上記針状電極２５及び円筒電極２６ｃは、本発明を構成する放電電極である。一方、上記左正面カバー２０には、図７に示すように、後述するように、上記針状電極２５と円筒電極２６ｃとの間に直流の高圧電流が印加された場合に点灯するＬＥＤランプ２７が配設されている。また、上記左正面カバー２０の背面側には、後述する安全スイッチ，高圧ユニット，トランスなどが収容されている。
【００２１】
すなわち、この空気清浄部３においては、図８に示すように、商用電源（ＡＣ１００Ｖ）に上記電源スイッチ３０を介してトランス３１に接続されている。このトランス３１は、交流を直流に変換にする整流器としての機能も有している。そして、このトランス３１には、第１から第３の出力端子３２，３３，３４を有し、この第１の出力端子３２は、プラス電極であり、この第１の出力端子３２が高圧ユニット３５の第１の入力端子３６に接続されている。また、上記第１の出力端子３２は、抵抗３７を介して前記ＬＥＤランプ２７に接続されている。また、上記第３の出力端子３４は、上記高圧ユニット３５の第３の入力端子３８に接続されている。また、上記第２の出力端子３３は、グランド端子であって、第１の安全スイッチ３９を介して上記電極ユニット２６に接続されている。この電極ユニット２６は、第２の安全スイッチ４０を介して、上記ＬＥＤランプ２７及び高圧ユニット３５のグランド端子である第３の入力端子４１に接続されている。そして、上記高圧ユニット３５の出力端子４２は、上記各針状電極２５に接続されている。そして、上記トランス３１より高圧ユニット３５に直流の駆動電源が供給されると、負電位となされた上記各針状電極２５と正電位となされた各円筒電極２６ｃとの間にコロナ放電が起こり、このときの放電エネルギーにより、マイナスイオンとオゾンとを含む風が発生し、この風は、上記空気清浄部３の正面に取り付けられた右正面カバー２１の筒状部２１ａから外部に放出される。また、こうした風（エアー）が上記多数の円筒電極２６ｃ内を通過するとき、エアーに塵埃が含まれている場合には、この塵埃は上記円筒電極２６ｃの内周面に付着する。なお、このときにトランス３１から高圧ユニット３５に駆動電源が供給されているときには、上記ＬＥＤランプ２７が点灯する。なお、上記第１の安全スイッチ３９と第２の安全スイッチ４０は、上記中板２２の左右両側の正面と、この中板２２に着脱自在に取り付けられた上記右正面カバー２１の左右両側の背面との間に配設されてなるものであり、この実施の形態に係る手乾燥装置１においては、上記右正面カバー２１が取り外された場合には、上記各針状電極２５と各円筒電極２６ｃとの間に放電されないように構成されている。
【００２２】
そして、このように空気清浄部３から放出されたオゾンは、上記乾燥装置本体２の傾斜面２ａの先端側から該乾燥装置本体２の左右両側に移動する。この状態において、使用者が洗浄水で濡れた手指を、上記乾燥空間Ｄ内に挿入すると、上記光センサ１４がそれを検出し、ファン１１の駆動が開始される。こうしたファン１１の駆動により、上記多数のエアー流入用開口５ｃ近傍の空気とともに、上記オゾンは、上記フィルター９を通過して、上記本体ケース４内（本発明を構成するハウジング内）に流入し、上記エアーノズル１３から加温されながら圧縮エアーとなって下方に放出される。また、上記空気清浄部３から放出されたマイナスイオンは、使用者の上半身方向に放出される。
【００２３】
したがって、上述した実施の形態に係る手乾燥装置１によれば、オゾンが混入された圧縮エアーを手指に放出することができ、手指の殺菌，除菌効果を向上させることができるばかりではなく、フィルター９に付着する塵埃の絶対量を有効に軽減することができ、該フィルター９を頻繁に交換する必要がない。また、この実施の形態に係る手乾燥装置１によれば、エアーが通過するフィルター９自体やファン１１等のハウジングに内蔵された部材も殺菌，除菌することができ、消臭することができることから、より一層衛生的なものとすることができる。しかも、この手乾燥装置１を構成する空気清浄部３からは、上記オゾンばかりではなく、マイナスイオンも放出することから、血液の浄化作用や細胞の新陳代謝の活性化等を期待することも可能となる。
【００２４】
また、上記全ての円筒電極２６ｃは、上記他方の電極固定板２６ｂに溶接され、全体が電極ユニット２６とされており、この電極ユニット２６が取り付けられた右正面カバー２１は、上記空気清浄部３から着脱自在とされていることから、各円筒電極２６ｃの内周面に塵埃が多量に付着した場合には、該電極ユニット２６を右正面カバー２１とともに取り出し、洗浄することができる。したがって、この手乾燥装置１によれば、フィルター９を頻繁に交換する必要はなく、上記電極ユニット２６を洗浄すれば良いことから、メンテナンスコストの低減を図ることが可能となる。
【００２５】
【発明の効果】
上述した本発明の一実施の形態の説明からも明らかなように、本発明（請求項１記載の発明）によれば、上記複数の放電電極を構成する円筒電極の内周面には、塵埃が付着するとともに、該複数の円筒電極からは正面側にオゾンが送風され、この送風されたオゾンは、ハウジングに形成された開口からフィルターを通過して内部に流入し、上記ファンの駆動により下方に圧縮エアーが放出される。したがって、この第１の発明によれば、オゾンが混入された圧縮エアーを手指に放出することができ、手指の殺菌，除菌効果を向上させることができるばかりではなく、フィルターに付着する塵埃の量を有効に軽減することができ、該フィルターを頻繁に交換する必要がない。また、この発明によれば、エアーが通過するフィルター自体やファン等のハウジングに内蔵された部材も殺菌，除菌することができ、消臭することができることから、より一層衛生的なものとすることができる。しかも、この発明を構成する空気清浄部からは、上記オゾンばかりではなく、マイナスイオンも放出することから、血液の浄化作用や細胞の新陳代謝の活性化等を期待することも可能となる。
【００２６】
また、第２の発明（請求項２記載の発明）では、ハウジングの上面は、壁面側から正面側にかけて上昇してなる傾斜面とされてなるとともに、前記空気清浄部の正面は上記ハウジングの正面よりも背面側に位置してなることから、この空気清浄部から放出され空気よりも若干比重が高いオゾンは、徐々にハウジングの上面から左右方向に移動し、該ハウジングの両側から下方に移動する。そして、さらにこの第２の発明においては、前記開口は、ハウジングの左右両側に形成されていることから、オゾンはこれらの開口の周囲のエアーとともに、該開口内に流入する。すなわち、この第２の発明によれば、空気清浄部から放出されるオゾンがより一層上記ハウジングに形成された開口から内部に流入し易く、前記第１の発明に比べて、さらにエアーが通過するフィルター自体やファン等のハウジングに内蔵された部材の殺菌，除菌効果乃至は消臭効果を高めることが可能となる。
【００２７】
また、第３の発明（請求項３記載の発明）では、全ての円筒電極は、空気清浄部から着脱自在とされてなることから、該円筒電極の内周に付着した塵埃を洗浄することができる。
【図面の簡単な説明】
【図１】本発明の一実施の形態に係る手乾燥装置を示す正面図である。
【図２】図１に示す手乾燥装置の左側面図である。
【図３】図１に示す手乾燥装置の右側断面図である。
【図４】空気清浄部を示す右側断面図である。
【図５】空気清浄部の平面図である。
【図６】空気清浄部を一部破断し下側から示す斜視図である。
【図７】図１に示す手乾燥装置の左側断面図である。
【図８】空気清浄部の電気回路を示す回路図である。
【符号の説明】
１    手乾燥装置
２    乾燥装置本体
２ａ    傾斜面
３    空気清浄部
５ｃ    エアー流入用開口
９    フィルター
１１    ファン
２５    針状電極
２６ｂ    電極固定板
２６ｃ    円筒電極
【図１】
2004154234.tif 000003
【図２】
2004154234.tif 000004
【図３】
2004154234.tif 000005
【図４】
2004154234.tif 000006
【図５】
2004154234.tif 000007
【図６】
2004154234.tif 000008
【図７】
2004154234.tif 000009
【図８】
2004154234.tif 000010